(57)【特許請求の範囲】
【請求項１】
一端に開口部を有し、前記開口部に煙感知器を挿入して前記煙感知器を覆い、前記煙感知器と前記煙感知器が取付けられている天井との隙間をなくす感知器カバーと、
前記感知器カバーの開口部の反対側に配置され、前記感知器カバー内部に煙を放出する水溶性物質の固形化物又はジェル化物からなる作動試験器用発煙組成物を含む発煙剤を保持する発煙部と、
前記作動試験器用発煙組成物を含む発煙剤を発煙させる発煙駆動部を有し、
前記発煙駆動部が、前記水溶性物質に対して触媒として働き、前記水溶性物質の分解反応に伴う反応熱を発生させ、その反応熱を駆動力にして前記水溶性物質をさらに分解、発熱、発煙を生成する金属触媒（白金）の棒体を用い、前記棒体を発煙剤に挿入する形に設けて発煙剤と接触、発熱させ、煙を発生させることを特徴とする煙感知器の作動試験器。
【請求項２】
前記発煙駆動部が、前記水溶性物質に対して触媒として働き、前記水溶性物質の分解反応に伴う反応熱を発生させ、その反応熱を駆動力にして前記水溶性物質をさらに分解、発熱、発煙を生成する金属触媒（白金）を用い、前記金属触媒を前記発煙剤の外囲に設けて発煙剤と接触、発熱させ、煙を発生させることを特徴とする請求項１に記載の煙感知器の作動試験器。
【請求項３】
一端に開口部を有し、前記開口部に煙感知器を挿入して前記煙感知器を覆い、前記煙感知器と前記煙感知器が取付けられている天井との隙間をなくす感知器カバーと、
前記感知器カバーの開口部の反対側に配置され、前記感知器カバー内部に煙を放出する水溶性物質の固形化物又はジェル化物からなる作動試験器用発煙組成物を含む発煙剤を保持する発煙部と、
前記作動試験器用発煙組成物を含む発煙剤を発煙させる発煙駆動部を有し、
前記発煙駆動部が、前記発煙剤の直上に抵抗加熱ヒーターを設け、前記発煙剤の表面を加熱して発煙させることを特徴とする煙感知器の作動試験器。
【請求項４】
前記作動試験器の動作時には、前記発煙剤と発煙駆動部が、熱的に接触状態を形成するように、前記作動試験器内に配置されることを特徴とする請求項１〜３のいずれか１項に記載の煙感知器の作動試験器。
【請求項５】
前記発煙組成物が、不燃性で、
前記水溶性物質が、水、ポリエチレングリコール、ポリエチレンオキサイド、エチレングリコール、プロピレングリコール、ジエチレングリコール、トリエチレングリコール、オキシエチレンオキシプロピレングリコールモノエーテル、ポリオキシプロピレン誘導体、ポリオキシエチレンポリオキシプロピレン誘導体、ポリオキシエチレンアルキルエーテル、ブロックポリマー、グリセリン、グリコールエーテル系化合物の少なくとも１種であり、
前記ジェル化物が、前記水を除いた水溶性物質が水を含むことによりジェル状に自己硬化した物質で、
前記固形化物が、前記水溶性物質が水及び増粘剤を含むことにより自己硬化した物質であることを特徴とする請求項１に記載の煙感知器の作動試験器。
【請求項６】
前記増粘剤が、ゼラチン、多糖類セルロース、ぺプチン、グアーガム、キサンタンガム、カラギーナン、アラビアゴム、アルギン酸ナトリウム、アルギン酸プロピレングリコール、カルボキシメチルセルロースナトリウム、合成ケイ酸ナトリウム・マグネシウム、ジメチルジステアリルアンモニウムヘクトライト、シクロデキストリン、ビニル系化合物、ビニリデン系化合物、ポリエステル系化合物、ポリグリコール系化合物、ポリビニルアルコール系化合物、ポリアルキレンオキサイド系化合物、ポリアクリル酸系化合物の少なくとも１種であることを特徴とする請求項５に記載の煙感知器の作動試験器。
【発明の詳細な説明】
【技術分野】
【０００１】
本発明は、煙感知器の作動試験に際して使用される、特別な試験器を使用する必要がなく、きわめて短時間で正確に試験し得る煙感知器作動試験用発煙剤を供する発煙組成物、及びこの発煙剤を使用した煙感知器の作動試験器に関するものである。
【背景技術】
【０００２】
火災の際に発生する煙を早期に感知して、非常ベルなどを作動させて火災の発生を通報するイオン式煙感知器や光電式煙感知器などの煙感知器は、その設置個所において、その作動を定期的に確認するための作動試験を行う必要がある。
【０００３】
したがって、その試験に使用する試験手段が多く提案されている。
その代表的な煙感知器作動試験器は、試験用ガスを充填したガスボンベを組み込んだものが用いられていた（例えば、特許文献１から４など参照）。
【０００４】
この試験用ガスには、従来特定フロンガスであるフロン１２（ジクロロジフルオロカーボン）に０．０１〜１０重量％の流動パラフィンが混入された試験用ガスが充填されていたが、オゾン層破壊効果の観点から代替フロンへの転換がなされ、代替フロンの一種であるハイドロフルオロカーボン（以下、ＨＦＣと称す）やハイドロクロロフルオロカーボン（以下、ＨＣＦＣと称す）に０．０１〜１０重量％の流動パラフィン、あるいはグリコールを混入したガス（特許文献５参照）が開示されている。
【０００５】
また、ガスを使用しない煙感知器作動試験器として、油を用いた液体式加煙試験器（特許文献６参照）、流動パラフィン（液体）を用いた液体式の作動試験器（特許文献７参照）、発熱、発煙剤に固体の工業用線香を用いた固体式作動試験器（例えば、特許文献８、９、１０参照）、毛細現象を利用して供給可能な程度の流動性を持つ水又は水を含んだグリセリン及びプロピレングリコールの混合剤を発煙剤とする加煙試験器（特許文献１１、１２参照）、グリセリンやプロピレングリコールなどの親水性を有し、保水性の高い水溶性液体を空孔内に含浸した不燃性フィルタをヒーターに当接又は近接配置した加煙試験器具（特許文献１３参照）が開発されている。
【先行技術文献】
【特許文献】
【０００６】
【特許文献１】特開平１−３０３２９８号公報
【特許文献２】実開平３−９７７９１号公報
【特許文献３】実開昭６３−１７９５９４号公報
【特許文献４】実開昭５７−６５４９１号公報
【特許文献５】特開平８−７７４７２号公報
【特許文献６】特開平６−３０９５７７号公報
【特許文献７】特許５１３１６２６号公報
【特許文献８】実開昭６２−７５５９４号公報
【特許文献９】特開昭５６−４７８９７号公報
【特許文献１０】実開昭６３−１８３６９３号公報
【特許文献１１】特開２０１３−１８２５２０号公報
【特許文献１２】特開２０１２−１７３９１７号公報
【特許文献１３】特開２０１３−１２７７６６号公報
【発明の概要】
【発明が解決しようとする課題】
【０００７】
しかしながら、ガスボンベを使用する煙感知器作動試験器で用いられるＨＣＦＣは、分子内に塩素原子を有することからオゾン層破壊物質に指定され、又ＨＦＣは、温暖化係数が高いことから地球温暖化対策により、その代替物が希求されていた。
また、液体発煙物は移動時、作動時の液漏れ等の安全性等に不都合な点を多々有し、作動試験器の機構からは解決が困難であった。
【０００８】
さらに、特許文献５に示されるガスを使用して試験する場合、ＨＦＣやＨＣＦＣと、添加剤の流動パラフィンとの馴染み性が悪いために、１回の噴射では試験の結果が得られず数回の噴射で初めて煙感知器が作動することがあり、正確な試験結果は得られるが、多数の煙感知器を一度に試験するには試験作業にかなりの手間と時間を必要となっている。
【０００９】
本発明は、上記従来技術の問題点を解決するためになされたものであって、ＨＦＣやＨＣＦＣのフロンなどの噴射ガス種を用いずに、安全性が高く、取扱いも容易で、短時間に試験作業を完了し得る煙感知器作動試験用発煙剤の発煙組成物、および煙感知器作動試験用器具を提供するものである。
【課題を解決するための手段】
【００１０】
本発明の第１の発明は、一端に開口部を有し、前記開口部に煙感知器を挿入して前記煙感知器を覆い、前記煙感知器と前記煙感知器が取付けられている天井との隙間をなくす感知器カバーと、前記感知器カバーの開口部の反対側に配置され、前記感知器カバー内部に煙を放出する水溶性物質の固形化物又はジェル化物からなる作動試験器用発煙組成物を含む発煙剤を保持する発煙部と、前記作動試験器用発煙組成物を含む発煙剤を発煙させる発煙駆動部を有し、前記発煙駆動部が、前記水溶性物質に対して触媒として働き、前記水溶性物質の分解反応に伴う反応熱を発生させ、その反応熱を駆動力にして前記水溶性物質をさらに分解、発熱、発煙を生成する金属触媒（白金）の棒体を用い、前記棒体を発煙剤に挿入する形に設けて発煙剤と接触、発熱させ、煙を発生させることを特徴とする煙感知器の作動試験器である。
【００１１】
本発明の第２の発明は、第１の発明における発煙駆動部が、前記水溶性物質に対して触媒として働き、前記水溶性物質の分解反応に伴う反応熱を発生させ、その反応熱を駆動力にして前記水溶性物質をさらに分解、発熱、発煙を生成する金属触媒（白金）を用い、前記金属触媒を前記発煙剤の外囲に設けて発煙剤と接触、発熱させ、煙を発生させることを特徴とする煙感知器の作動試験器である。
【００１２】
本発明の第３発明は、一端に開口部を有し、前記開口部に煙感知器を挿入して前記煙感知器を覆い、前記煙感知器と前記煙感知器が取付けられている天井との隙間をなくす感知器カバーと、前記感知器カバーの開口部の反対側に配置され、前記感知器カバー内部に煙を放出する水溶性物質の固形化物又はジェル化物からなる作動試験器用発煙組成物を含む発煙剤を保持する発煙部と、前記作動試験器用発煙組成物を含む発煙剤を発煙させる発煙駆動部を有し、前記発煙駆動部が、前記発煙剤の直上に抵抗加熱ヒーターを設け、前記発煙剤の表面を加熱して発煙させることを特徴とする煙感知器の作動試験器である。
【００１３】
本発明の第４の発明は、第１〜第３の発明における作動試験器の動作時には、前記発煙剤と発煙駆動部が、熱的に接触状態を形成するように、前記作動試験器内に配置されることを特徴とする煙感知器の作動試験器である。
【００１４】
本発明の第５の発明は、第１の発明における発煙組成物が、不燃性で、前記水溶性物質が、水、ポリエチレングリコール、ポリエチレンオキサイド、エチレングリコール、プロピレングリコール、ジエチレングリコール、トリエチレングリコール、オキシエチレンオキシプロピレングリコールモノエーテル、ポリオキシプロピレン誘導体、ポリオキシエチレンポリオキシプロピレン誘導体、ポリオキシエチレンアルキルエーテル、ブロックポリマー、グリセリン、グリコールエーテル系化合物の少なくとも１種であり、前記ジェル化物が、前記水を除いた水溶性物質が水を含むことによりジェル状に自己硬化した物質で、前記固形化物が、前記水溶性物質が水及び増粘剤を含むことにより自己硬化した物質であることを特徴とする煙感知器の作動試験器である。
【００１５】
本発明の第６の発明は、第５の発明における増粘剤が、ゼラチン、多糖類セルロース、ぺプチン、グアーガム、キサンタンガム、カラギーナン、アラビアゴム、アルギン酸ナトリウム、アルギン酸プロピレングリコール、カルボキシメチルセルロースナトリウム、合成ケイ酸ナトリウム・マグネシウム、ジメチルジステアリルアンモニウムヘクトライト、シクロデキストリン、ビニル系化合物、ビニリデン系化合物、ポリエステル系化合物、ポリグリコール系化合物、ポリビニルアルコール系化合物、ポリアルキレンオキサイド系化合物、ポリアクリル酸系化合物の少なくとも１種であることを特徴とする煙感知器の作動試験器である。
【発明の効果】
【００１６】
本発明によれば、煙感知器の作動試験器で使用される発煙剤にジェル状や固形状の発煙組成物を用いることによって、環境温暖化に影響を及ぼす代替フロンガスなどのガスを用いることなく煙感知器の作動試験が可能となり、環境破壊をしない作動試験器を提供できる。
また、本発明に係る発煙組成物は、水を水溶性物質に用いることでジェル化物又は固形化物とし、水溶性物質の発煙剤としての性能を生かし、且つ水の存在による火炎の発生を抑えることができ、発煙剤として固体であり、その取扱いを容易で、さらに人体にも安全で、さらに環境破壊をさせない優れた効果を奏するものである。
【図面の簡単な説明】
【００１７】
【図１】本発明の煙感知器作動試験器の参考例を示す模式図である。
【図２】本発明の煙感知器作動試験器の参考例を示す模式図である。
【図３】本発明の煙感知器作動試験器の第一の実施例を示す模式図である。
【発明を実施するための形態】
【００１８】
煙感知器の作動試験器においては、煙感知器の作動可否を試験するために煙もしくは疑似煙（例えば、霧状粒子、ミストなど）を発生させることが必要となっている。そのための発煙剤には、加熱を要するものとして、工業用線香のような固体発煙剤、液体発煙剤としては油脂、流動パラフィンなどが用いられている。一方、加熱を必要としない霧状粒子やミストを発生する噴射ガス式では流動パラフィンが多く用いられる。
【００１９】
この加熱により発煙する作動試験器に使用される発煙剤には、容易に発煙する一方、火炎を発生しない性質、不燃性も必要であり、さらには発煙の制御が可能であることも必要である。
この容易に発煙するためには、作動試験器に組み込まれた加熱源の形状（コイルやワイヤ状、棒状、面状など）との親和性が高く、簡便且つ効率良く加熱されて発煙を生じる形態の発煙剤が望まれ、その形態としてジェル化物、さらには固形化物の発煙組成物が挙げられる。
また、容易には火炎を発生しない性質に対しては、水をジェル化物或いは固形化物にすること、即ち水と水溶性物質とで形成したジェル化物又は固形化物を、加熱源に接することによる水溶性物質の発熱、発煙が生じるが、水の存在下では火炎の発生は抑制されることに着目すると共に、加熱源との接触を制御することにより発煙の制御が可能である点にも着目し、本発明を完成したものである。
【００２０】
このような状況において、本発明は発煙剤において、水と水溶性物質を含み、ジェル化物又は固形化物の形態を採る発煙組成物であり、この発煙組成物による発煙に適した構造の煙感知器作動試験器である。
以下、本発明の発煙組成物、ならびに煙感知作動試験器について詳述する。
【００２１】
〔発煙組成物〕
本発明は、発煙剤を構成する発煙組成物に、水溶性物質に水を混ぜてジェル化した物質、又は固形化した物質を用いる。
具体的には、水を水溶性物質に加えることでジェル化物或いは固形化物の発煙剤として用いるものである。そこで、より具体的には、水と混合することにより、ジェル化又は固形化する水溶性物質、或いは、さらに増粘剤を加えることにより固形化する水溶性物質と、水、増粘剤の配合比率を、発煙剤の特性に対して適正配合とすることで、発煙剤が構成されるものである。
【００２２】
本発明に係る発煙組成物に使用する水溶性物質としては、水を含むことにより自己硬化する物質が望ましく、ポリエチレングリコール、ポリエチレンオキサイド（ポリエチレンオキシド、ポリオキシエチレンとも称す）、エチレングリコール、プロピレングリコール、ジエチレングリコール、トリエチレングリコール、オキシエチレンオキシプロピレングリコールモノエーテル、ポリオキシプロピレン誘導体、ポリオキシエチレンポリオキシプロピレン誘導体、ポリオキシエチレンアルキルエーテル、ブロックポリマー、グリセリン、グリコールエーテル系化合物の少なくとも１種を用いる。
【００２３】
固形化物を形成するための増粘剤としては、ゼラチン、多糖類セルロース、ぺプチン、グアーガム、キサンタンガム、カラギーナン、アラビアゴム、アルギン酸ナトリウム、アルギン酸プロピレングリコール、カルボキシメチルセルロースナトリウム、合成ケイ酸ナトリウム・マグネシウム、ジメチルジステアリルアンモニウムヘクトライト、シクロデキストリン、ビニル系化合物、ビニリデン系化合物、ポリエステル系化合物、ポリグリコール系化合物、ポリビニルアルコール系化合物、ポリアルキレンオキサイド系化合物、ポリアクリル酸系化合物の少なくとも１種を用いる。
その添加量は、０．１〜５．０重量％が固形化物の形成には望ましく、より好ましくは０．２〜２．０重量％である。
【００２４】
次に、ジェル化物又は固形化物を形成するための上記水溶性物質と水、又は水溶性物質と水と増粘剤の配合比率は、用いる水溶性物質の分子量により適正配合比率が変化するが、分子量が大きいもの程、対水配合比を小さく（水溶性物質を少量とする）設定して発煙組成物を構成すると良い。
【００２５】
〔作動試験器〕
図３は本発明における煙感知器の作動試験を行う作動試験器の構成の一例を示す模式図である。図１、２は参考図である。
図１、２、３において、１は部屋の天井２に設置された火災警報用の煙感知器である。そして、３ａ、３ｂ、３ｃはこの煙感知器１を覆い、煙を放出して煙感知器１の周囲の雰囲気を煙で構成させる作動試験器である。この作動試験器３ａ、３ｂ、３ｃは、その容器を構成し底辺部を有する本体部４と、この本体部４の上側の開口部に接続し弾性を持つ押付部５と、本体部４の底辺外側中心位置に接続して設けられた長い棒状体からなる把手棒６とからなっている。なお、押付部５は蛇腹状のゴム又は金属ベローにより形成されていて、押付け時に弾力をもって天井２との隙間をなくすものである。
【００２６】
作動試験器３ａ、３ｂ、３ｃの内部には、煙を放出する発煙剤１０を設置した発煙部７と、発煙剤１０と接触して発熱、発煙を促す発煙駆動部８が備えられている。
発煙剤１０は、固形化物又はジェル化物であることから取り扱いが容易であり、発煙部７にセットされる形状の成形品での供給や、試験現場で発煙部７の所定位置に詰め込まれたり（図２、図３）、カップ状の熱伝導性の良い発煙剤収納容器１０ａに充填された状態で取り扱われて発煙部７に容器ごとセットされ、発煙駆動部８で使用される（図１）。
発煙駆動部８は、発煙剤を加熱発煙させる場合では、電気加熱の抵抗加熱ヒーター９（金属発熱体を樹脂で被覆したシーズヒーター）などの直接発煙剤を加熱して、発熱、発煙させるもの（図２参照）や、水溶性物質に対して触媒として働き、水溶性物質の分解反応に伴う反応熱を発生させ、その反応熱を駆動力にして水溶性物質をさらに分解、発熱、発煙を生成する白金などの金属触媒を使用し、発煙剤１０や発煙部７の外囲や、棒体（例えば、図３の符号８ａに示す発煙触媒の「白金」棒体）として発煙剤１０に挿入する形（図３参照）に設けて発煙剤と接触、発熱させ、煙を発生させる。あるいは、発煙剤１０の直上に抵抗加熱ヒーターを設けることで発煙剤の表面を加熱して発煙させることでも良い。この電気加熱のためのスイッチ、電源などは、本体部４あるいは把手棒６の内部に設けられている。
さらに、図２、図３の作動試験器３ｂ、３ｃには発煙した煙を効率よく煙感知器１に誘導するようにファン２０を設置することもできる。このファン２０は、作動試験器３ｂでは電気加熱のためのスイッチ動作に連動して回転する構造となっている。
【００２７】
抵抗加熱ヒーター９のスイッチは、例えば図１に見られるレバー１１のように煙感知器１の所定位置に作動試験器３ａが押付けられた場合に、レバー１１が縮んでスイッチ（図示せず）が「ＯＮ」する形式、あるいは図２の作動試験器３ｂのように、スイッチ１２が把手棒６の手元側（本体部４と結合する端部の逆側端部側）に設け、試験者がスイッチ１２を「ＯＮ」、「ＯＦＦ」することにより作動試験を行う形式で、いずれも温調装置（図示せず）を把持棒内外に組み込んで、発煙をコントロールするために抵抗加熱ヒーター９の温度制御を行うことも可能である。
【００２８】
次に、図１、２、３の装置を用いて、その試験動作を説明する。
試験者は把手棒６の部分を持って、押付部５の開口部を煙感知器１の周囲の天井２にあてがい、押付部５の弾力を利用して作動試験器全体を押付ける。
この時、図１の作動試験器３ａでは、押付け前はレバー１１の先端は押付部５の自然高さより所定長だけ短くなっているから、この押付けによって作動試験器３ａの内部上半分が密閉された状態で、レバー１１が縮んでレバー１１内に組み込まれたスイッチが入り、抵抗加熱ヒーター９が加熱されて発煙剤１０を熱して煙を発生させることによって、煙が煙感知器１の周囲に漂うようになる。
また、図２の作動試験器３ｂでは、把手棒６の手元側に設けられたスイッチ１２を入れることによって抵抗加熱ヒーター９の加熱を開始する。
さらに、図３の作動試験器３ｃでは、発煙駆動部８を発煙剤１０の上部の所定位置にセットして、発煙触媒８ａ（例えば、白金棒等）を発煙剤１０に埋没させ、その発煙駆動部８の上部に突出した発煙触媒８ａを火炎で炙る、電気加熱などで暖め、発煙剤１０との反応を開始することで、発煙剤を構成する水溶性物質が触媒反応を起こして分解、煙を発生させる。
【００２９】
この煙は、煙感知器１の機能に対して、あたかも火災時の煙として作用するから、煙感知器１が正常な時はその旨の出力（例えば、発報）を送信することにより、煙感知器１が正常であることが分かる。逆に、煙感知器１が正常でない時は出力を送信しないから、煙感知器１が故障乃至不都合であることが判別できるようになる。そして、１つの煙感知器の試験が終了すると、把手棒６を下げることによって作動試験器３ａ、３ｂ、３ｃ全体を押付け状態から外してやると、作動試験器３ａではレバー１１が元の位置に戻り、内部のスイッチも解除されて抵抗加熱ヒーターの加熱も止まり、準備状態乃至次ぎの試験動作に移行することができるようになる。また作動試験器３ｂ、３ｃでは、スイッチ１２を切ることによって加熱を止めて、次の状態に移行できる。
なお、押付部５の全体を透明プラスチックのような弾性体で形成すると、発煙部７から煙が放出したか否かを試験者が目視で確認することができるので、好都合である。
【実施例】
【００３０】
以下、実施例を用いて本発明を説明する。
【実施例１】
【００３１】
図３の作動試験器３ｃの発煙部７に、発煙剤１０として分子量の異なる水溶性物質のポリエチレンオキサイドを、対水配合比を変えて作製した表１に示す試験片１から１０の発煙剤を置き、煙感知器１（能美防災株式会社製「まもるくん」）に作動試験器３ｃの押付部５を被せて、発煙剤１０（試験片１〜１０）を加熱した。１６秒後には、試験片１〜１０の全ての煙感知器１が作動して発報が確認された。
【００３２】
【表１】
0006671225.tif 000002
【実施例２】
【００３３】
発煙剤１０として、分子量の異なる水溶性物質のポリエチレングリコールを、対水配合比を変えて作製した表２に示す試験片１１から試験片１６の発煙剤を用いた以外は、実施例１と同様に作動試験を行った。１８秒後に煙感知器１（株式会社ノア社製「ＮＥ６６８」）が作動して発報が確認された。
【００３４】
【表２】
0006671225.tif 000003
【実施例３】
【００３５】
発煙剤１０として、ポリオキシエチレンとポリオキシプロピレングリコールの混合物であるポリオキシエチレンポリオキシプロピレン誘導体を水溶性物質として用い、１：１の対水配合比で作製した試験片１７、１８の発煙剤を用いた以外は、実施例１と同様に作動試験を行った。１３秒後に煙感知器１（能美防災株式会社製「まもるくん」）が作動して発報を確認した。
【実施例４】
【００３６】
発煙剤１０として、水溶性物質にグリセリン、プロピレングリコールを用い、対水配合比１．００とし、さらにビニル系化合物の増粘剤を１重量％加えて作製した表３に記載の試験片１９、２０の発煙剤を用いた以外は、実施例１と同様に作動試験を行った。１０秒後に煙感知器１（株式会社ノア社製「ＮＥ６６８」）が作動して発報が確認された。
【００３７】
【表３】
0006671225.tif 000004
【００３８】
（比較例１）
発煙剤１０に流動パラフィンを用いた以外は、実施例１と同様に作動試験を行った。数秒後に煙の発生を見たが、すぐに炎が生じてしまったために、すぐに試験を中止した。
【符号の説明】
【００３９】
１    煙感知器
２    天井
３ａ、３ｂ、３ｃ  作動試験器
４    本体部
４ａ  底面部
５    押付部
６    把手棒
７    発煙部
８    発煙駆動部
８ａ  発煙触媒
９    抵抗加熱ヒーター
１０    発煙剤
１０ａ  発煙剤収納容器
１１    レバー
１２    スイッチ
２０    ファン
【図１】
0006671225.tif 000005
【図２】
0006671225.tif 000006
【図３】
0006671225.tif 000007